(57)【特許請求の範囲】
【請求項１】
同時に読み取り可能な複数のデータトラックを有する磁性媒体の読み取りシステムであって、少なくともトラックの数と同数の検出器を具備する検出装置を有し、該検出装置は、それぞれのトラック上のデータサンプルを同時かつ一定の間隔で読み出すことができ、各読み出し時間に検出器が読み出したデータサンプルを並列的に受信して連続的に送出する並列／直列シフトレジルタを具備し、
−各トラックから処理すべきデータサンプル（ｘｉ）、第１の隣接トラックからデータサンプル（ｘ（ｉ−１））および第２の隣接トラックからデータサンプル（ｘ（ｉ＋１））を受信し、隣接トラック間のデータサンプルに影響を与えるクロストークを計算する処理回路（Ｍ１）と、
−上述の過程で計算されたクロストークを受信し、読み出し時間毎に得られた値を積分して、次の読み出し時間で得られた値を積分する積分回路（Ｉ１）と、
−前記積分回路（Ｉ１）の積分結果を受信し、検出装置に対してトラック追跡制御信号を供給する相対的トラック追跡制御回路（ＣＲ）とを具備し、
前記処理回路は、処理すべきデータサンプルの値に、
−前記第１の隣接トラックのデータサンプルの値が負で、第２の隣接トラックの値が正であれば＋１を掛け、
−前記第１の隣接トラックのデータサンプルの値が正で、第２の隣接トラックのデータサンプルの値が負であれば−１を掛け、
−隣接トラックのデータサンプルの値の符号が同一であれば０を掛ける、
積算手段を具備するシステム。
【請求項２】
前記データ媒体は、データ媒体を読みとった後に検出装置に対して伝達される光学ビームを使用して読み出され、前記相対的トラック追跡制御回路（ＣＲ）は、検出装置の位置に基づいて光学ビームが屈折するように当該検出装置を制御することを特徴とする請求項１に記載のシステム。
【請求項３】
前記検出装置は、読みとるべきトラックの数よりも検出器の数が多く、
−検出装置の各検出器が読みとったトラックを識別することができる絶対位置検出回路（ＣＴＡ）と、
−前記積分回路（Ｉ１）の処理回路（Ｍ１）と、前記相対的トラック追跡制御回路（ＣＲ）と、前記絶対位置検出回路の動作を制御する中央制御回路（ＣＣ）を、
具備することを特徴とする請求項１に記載のシステム。
【請求項４】
各検出器が読みとったデータの中から、１つ以上のトラック識別データ項目を識別する手段を具備することを特徴とする請求項３に記載のシステム。
【請求項５】
前記データ媒体のトラックは、前記識別データを含むプリアンブル領域を有することを特徴とする請求項４に記載のシステム。
【請求項６】
複数のトラックの前記プリアンブル領域を同時に読みとることができることを特徴とする請求項５に記載のシステム。
【請求項７】
前記プリアンブル領域は、トラックによって正または負であり、回路は連続した正の値および連続した負の値によってトラックを検出可能であることを特徴とする請求項６に記載のシステム。
【請求項８】
前記記録媒体のトラックは、交互に、正の値と負の値を有することを特徴とする請求項７に記載のシステム。
【請求項９】
正の値を有する４つのトラックと負の値を有する４つのトラックを交互に有し、
−第１のグループを構成する４つの検出器（ｂ０からｂ３）が検出したデータサンプルの符号と、第２のグループを構成する４つの検出器（ｂ４からｂ７）が検出したデータサンプルの符号の符号を逆転させたものを加算する第１の加算回路（Ｓ１）と、
−検出器の第１のグループの最初の２つの検出器が読みとったデータサンプルの符号と、検出器の第２のグループの最後の２つの検出器が読みとったデータサンプルの符号と、検出器のこれらのグループの他の検出器が読みとったデータサンプルの符号を逆転させたものを加算する第２の加算回路（Ｓ２）と、
−前記２つの加算回路の加算結果に基づいて前記検出器が検出したトラックの数を示す表、
を具備することを特徴とする請求項８に記載のシステム。
【請求項１０】
同時に記録可能な複数のトラックを有し、それぞれが、他のトラックに対して当該トラックの位置を示すことができるデータを含むとともに、同時に書き込まれたかあるいは同時に書き込み可能なプリアンブル領域を有するトラックを複数有し、当該プリアンブル領域は、ゼロでない値を連続して有し、正の値を連続的に有するトラックのグループと負の値を連続的に有するトラックを交互に配置した記録媒体。
【発明の詳細な説明】
【０００１】
本発明は、データ媒体、特に長さ方向にマルチトラックを有する磁気テープのような、マルチトラック・データ媒体への書き込み／読み出しに利用されるトラック追跡システムに関連する。
【０００２】
本発明は、特に磁性記録や光学記録の読取に適用することが可能であり、このような関係において、高密度レコーディングの読取にも応用可能である。コンピュータ周辺機器やあらゆる専門的システムにも応用可能と考えられる。
【０００３】
本発明は、複数のトラックの並列読取りが必要な場合は、光学テープ上、及び磁気または光ディスク上の記録にも応用することができる。
【０００４】
平行なトラック上の高密度レコーディングは、トラックを追いながらかつ分離して読取を行わなければならないという二重の問題を呈する。トラックの幅が小さい（20μｍ未満）ため、テープの端の機械的誘導信号に基づいて読取りを行った場合、トラック追跡の正確さを保証することが困難になる。
【０００５】
テープとリーダーの相互通用性を保証する必要があるため、前述の難しさはさらに増幅する。
【０００６】
更に、読取の際に高い信号対雑音比を得るためには、トラック幅全体を再度読取る必要があるが、そのためには、トラック間のバリアを除外することになり、結果的にトラック間のクロストーク現象を生じることになる。
【０００７】
線形記録・読取系の長さ方向のトラック密度が上昇することにより、高性能なトラック追跡システムを設置し、トラック幅に比較して小さい位置エラーで書かれたトラックに対面するように読取りシステムを配置することが必要になる。というのは、テープ駆動機構に備わる配置と誘導の正確さは、ここではすでに不十分なためである。
【０００８】
すでに10μｍ未満のステップで隣接するトラックへのレコーディングを可能にしたシステムは複数存在する。この種の記録読取りは、フランスの特許No. 89 17313 (図1参照)に見られるように、光学的に行うことが可能である。多画素検出装置TL6は、磁気テープBD上で読取ったデータを伝送する光ビームを受信する。これにより、テープからデータを受信した画素の一つ一つが特定のトラックを読取ることができ、読取りビームを偏向させるシステムTL5がテープと検出装置の間に置かれる。例えば、ミラー或いはプレート駆動機構を使用することにより、高速度で光学的読取りビームを偏向させることができ、対応するトラックに対して、画素を継続的に適切な位置に配置することが可能である。
【０００９】
トラック追跡システムは通常線形レコーダーで施行され、基本的に限定された信号（例えば「パイロット」周波数）が記録されている1つ以上の制御トラックを継続的或いは定期的に読取るものである。配置エラー信号は、これら１つまたは複数のトラックの信号を処理する過程で抽出され、アクチュエータに作用し、アクチュエータは検出器に対する読取りビームの配置を変更する。
【００１０】
光学読み取り装置を使用した複数トラック技術においては、多数の隣接するトラックに対する同時アクセスを行えば、トラック間の読み出しクロストークを観測して直接エラー信号を作成することが可能である。このエラー信号は、アクチュエータの位置を制御するために使用することができる。
【００１１】
フランスの特許No. 92 15474は、この方法に基づく制御装置を記載したものである。このシステムは「相対的」配置を可能にする。つまり、トラックを再読する際、その中央に読取り検出器の感光エレメント（画素）を適切に配置することができる。もし相対的配置が画素jをトラックjにうまく対応させることができなければ、第２の装置からエラー信号が発せられて相対的配置が行われる。
【００１２】
本発明は、既存のシステムよりレスポンス・タイムが短く、トラック追跡の修正をより早く行うことができるシステムを提供する。更に、このシステムが記録フォーマットについて持つ制限は従来のものより小さくなっている。
【００１３】
上述したように、本発明を利用したシステムは、データの並列読取りが可能なトラックを持つ磁気媒体の読取りに有益で、少なくともトラック数と同数の検出器を持つ検出装置を具備しており、各トラック上のサンプル・データを同時且つ定期的に読取ることを可能にする。前述の検出装置は、並列／直列のシフトレジルタを備えており、検出器がそれぞれの読取り時間に読取ったサンプル・データを並列に受信し、それらを連続的に再送信する。また、この検出装置は、以下を具備するという点を特徴とする：
−各トラックからデータのサンプルを第1の隣接トラック上のサンプル及び第２の隣接トラック上のサンプルと併せて受信し、その値にかけ算を行う処理回路、
回路上でサンプルは以下のように処理される。
第１の隣接トラック上のサンプルが負であり、第2の隣接トラック上のサンプルが正であれば＋１を掛け、
第１の隣接トラック上のサンプルが正であり、第2の隣接トラック上のサンプルが負であれば−１を掛け、
両隣接トラック上のサンプルの符号が同じであれば０を掛ける。
−上記のように積算された値を受信し、各読取り時点の値を積分し、またそれに続く読取り時点の値を積分する積分回路、および、
−積分回路の積分結果を受け取り、検出装置に対しトラック追跡制御信号を発する、相対的トラック追跡制御回路（CR）。
【００１４】
本発明はまた、並列レコーディングが可能な複数のトラックを具備する記録媒体に関係し、当該トラックのそれぞれが、既に並列レコーディングされた、もしくは、平並列レコーディング可能なプリアンブル領域を持っており、該データを含むプリアンブル領域は、１つのトラックを他のトラックに対して配置することを可能にすることを特徴とする。
【００１５】
本発明により、エラー信号の発信機能をクロストーク修正システムから独立させ、それにより、それら二つの機能を独立して最適化することが可能である。更に、絶対位置決め法はもはや、最近権利侵害で問題となったような特別な変調コードを必要とせず、独立したデータ域に基づいている。そのため、チャネルに応じていかなる種類の変調コードも使用することができる。絶対配置に使用する特別な信号は、要求される総合的性能（絶対的配置を検出するのに掛かる時間）により選択してよい。最後に、絶対配置と相対配置は分離しており、これにより実行時間がずっと短くなる。
【００１６】
一般的なオペレーションは以下の通りである。
−読取りシステムはトラックよりも多数の要素（画素）を有している。
−相対的配置ループにより、画素が最寄のトラックに揃う。
−絶対配置検出システムにより、物理的トラックはどこか、あるいはこれと等価な意味において、第1のトラック（トラック0）に対応する画素の番号を示す。
−読取りエレクトロニクスは、すべての画素からの信号を処理する。
−トラックの配置データは解読データの処理のためにエレクトロニクスに転送されるが、それ自体は物理的トラックからのデータを処理するのみである。
【００１７】
図2は本発明によるシステムの流れを図示したものである。本システムは一列に並んだ検出器tliを有する検出装置TL6を具備している。検出器が並んだ列の幅は読取られるテープBDの幅よりも広い。例えば、図2に示した例では、80のトラックに対し、検出装置TL6は96の検出器tliを有している。検出装置TL6は、知られているように、トラック上に検出された信号を処理回路へ伝送することを可能にする回路CCD(図中には示していない)を具備している。これら処理回路は、アナログとデジタルの変換を行うCANと、96の検出器からデータを処理することが可能なデジタル・プロセッサCCを具備している。トラックに対し検出装置を配置するための回路DTRはプロセッサCCに接続しており、トラックに対する検出装置の配置を制御するためにシステムTL5を管理する。トラックに対する検出器の絶対配置を検出する回路であるDTAもまたプロセッサに接続されており、トラックに対する検出器の位置関係を示すことが可能になっている。
【００１８】
はじめに、相対配置回路DTRのデザインと実施例について述べる。
理想的な多トラック読取りシステムでは、各読取りエレメントiは、時刻kにおいて、このトラック上に書かれている記号ai(k)に比例する信号xi(k)を発生する。
【００１９】
実行段階では、読取り信号は以下の条件に影響されて変形する
１−ノイズb(k)の有無
２- チャネルのバンド幅が限られていることにより引き起こされる、同一トラック上の連続した記号間の干渉（記号間干渉）
３- 読取りシステムのトラック分離障害により引き起こされる、隣接したトラック上の記号間のクロストーク（トラック間クロストーク）
４- 記録媒体或いは書込み／読取りヘッドの配置及び位置決め誤差により引き起こされる、隣接したトラック上の記号間の干渉
【００２０】
図3は幅wの並列トラック一組を示す。読取りシステムは最適位置に対し間隔dを置いて配置されている。
【００２１】
時刻kにおけるヘッド・エレメントの読取り信号iは次の計算式に等しい：
【数１】
0004129856.tif 000002
【００２２】
トラックi-1に書き込まれた信号ai-1(k)が既知であると仮定すると、xi(k)とai-1(k)の相関を計算ことができる。
【数２】
0004129856.tif 000003
【００２３】
最初の項はトラックiとトラックi-1上に書かれた信号の相関を表す。これらトラックの信号が十分に独立性のあるものであれば、この項は0である。
【００２４】
同様に、最終の項はノイズと信号の相関を表す。ノイズが信号とは独立のものであれば、この項は0である。
【００２５】
第2の項はノイズとトラックi-1の信号の自己相関を表す。これはサンプルnのエネルギである。平均的に一定で、慣例によりこれを1とする。
【数３】
0004129856.tif 000004
【００２６】
図の例に示されるように、Ci,i+1は0である。トラックに対する検出器の分離が逆方向を向いているとすれば、
【数４】
0004129856.tif 000005
【００２７】
上述の理由により、トラックiに基づいて配置エラー信号を抽出することが可能である。
【数５】
0004129856.tif 000006
【００２８】
この信号の質を向上させるためには、各トラックにこの計算を実行し、その結果を利用するのが有利である。
【数６】
0004129856.tif 000007
【００２９】
本発明により、計算は各トラックに対して直接実行され、その結果レスポンス・タイムが向上し、クロストーク修正操作を最適に行う際の端数計算制限が緩和される。
【００３０】
時刻kにおいては、
【数７】
0004129856.tif 000008
トラック上に記録された信号ai(k)は、このトラック上に再読込みされたサンプルの符号に基づいて概算される。信号の単純な解読はこのようにして実行される。この単純解読の利点は、解読された信号を使えるようにするために一般的には読みとりチャネル中に存在する種々の装置（適応等化器、PLL、等）の収束を待つ必要がないことである。概算は単に配置エラー推定値に過剰な雑音を発生させるのみである。
【数８】
0004129856.tif 000009
【００３１】
従って、
【数９】
0004129856.tif 000010
或いは、
【数１０】
0004129856.tif 000011
この最後の形式は、アルゴリズムの挿入を特に容易にする。
【００３２】
図4は、相対配置回路DTRの単純な実施例を示す。
【００３３】
この回路は入力部INにおいて、検出装置TL6のCCDの一連の出力部から伝送されたサンプル・データを受信する。連続したサンプルの一つ一つは乗算器M1に伝送され、そこで隣接するサンプルの記号に応じ、その値に回路DSから供給されるファクタ、1、-1或いは0を乗ずる。
【００３４】
このようにして乗算されたサンプルは、集積回路I1に集積される。集積器の出力部OUTからエラー信号が発信され、トラックに対する検出装置の相対配置エラーを修正することが可能になる。
【００３５】
回路DSにより、各サンプルに対するクロストーク修正乗算ファクタであるKを決定することが可能になる。サンプルxiに対するこのファクタKの値は、下表より求められる-1, +1または0の値である：
【表１】
0004129856.tif 000012
【００３６】
従って、サンプルが同一の記号を有している場合、ファクタKの値は0であることが分かる。それらが正反対の記号を有する場合、表に示されるようにファクタKの値は+1もしくは-1である。
【００３７】
図5はDTR回路の実施例を説明している。
【００３８】
この回路は、二つの遅延回路R2を具備している。二つの回路の遅延は同等であるため、サンプルxiと同じ時間で、その前後のサンプルであるサンプルxi-1とサンプルxi+1を乗算器M1に伝送することができる。まずサンプルxiがそのままの状態で乗算器M1に伝送され、次にそれに-1を乗じる。サンプルxi-1とサンプルxi+1に関しては、これらサンプルの記号が回路sgn1とsgn2によって転送されるのみである。回路M1はまた、サンプルの値が0であることを示す信号を受信する。回路M1は、サンプルxi-1とxi+1の記号を比較し、また上記表に当てはめることにより、信号+xiか信号-xi或いは信号0となる、回路M1の出力部への伝送を制御するよう設計されている。
【００３９】
検出装置TL6のCCDに包含される連続したサンプルに対して実行される処理は、積分器I1に集積される。
【００４０】
複数の異なるトラックから特定の時刻に検出され、検出装置のCCDレジルタに含まれたサンプル・データはそれ故、上述の次第で次々に処理され、処理の結果は積分器I1に集積される。次に、それら複数の異なるトラックから引き続き検出したサンプルを同様に処理し、前回分の後に積分する。積分は同じ積分器I1で行う。
【００４１】
積分器の深度を決定する要素は、サンプルの平均振幅、それらのレート、及び設定するレスポンス・タイムの値である。例えば、毎秒1,500万のレートで、約20ビットの深さがあれば、30Hzの制御ループのバンド幅が得られ、それにより通常の稼動状態にあるシステムの信頼性に有害な影響を与えることなく連続追跡時間を短縮することができる。連続追跡モードとトラック追跡モードの時定数を変えることも可能である。
【００４２】
8ビットで解読されたエラー信号は、この積分器の上位ビットから成る。これをアナログ値に変換し、フィルターを掛け、電磁モーターの制御を適用する。
【００４３】
積分の結果により、テープのトラックに対し検出装置の位置調整を制御することが可能になる。或いは、同じことではあるが、テープの光学的読込みを行う場合には、読取りビームの偏向を検出装置の方向へ調整することが可能になる。検出装置の検出器は事実上、トラックの中央に調節されるため、読取られるトラックの数が確認できる。
【００４４】
検出器の配置を読取られるトラック中央に対して調節することを可能にする、相対配置検出回路DTRについて説明する。しかしながら、既に説明したように（図2）、検出装置はトラック数より多くの検出器を具備している。それにもかかわらず、読取りの際にはすべての検出器が使用される。従って、トラックを読込む際には使用されない検出器PHS1及びPHS2を検出することが必要になる（図6）。絶対配置検出回路DTAは、これら検出器の検出を可能にし、また第1次は第2といった各トラックに対応する検出器の識別を可能にする。
【００４５】
本発明により、トラックを検出するために特定の性質を持った信号を含む、プリアンブル領域と呼ばれる領域が記録媒体上のあちこちに設けられる。
【００４６】
このプレアンブル領域では、少なくとも幾つかのトラック、或いはすべてのトラックは、トラックの数を示すことができる識別データを有する。
【００４７】
これら条件のもとでは、トラックに対して検出装置を配置した後、識別データの読取りが可能な検出器により、読取るトラックの数を示すことが可能になる。
【００４８】
従って、一方でシステムは読取るトラックに使用した検出器とそれらが読取ったトラックの数を識別する。
【００４９】
本発明が推奨する方法は、トラックにより正或いは負の継続的要素を持つ信号をプリアンブル領域に印加する方法である。
【００５０】
更に、これら信号は他の見地から必要とされる特性を持っていることが望ましい。例えば、相対配置検出回路DTRの誤作動を防ぐため、これら信号はトラック間の相関をなるべく持たないことが望まれる。また、それらは伝送可能で、システムによって正確に活用することが可能でなければならない（スペクトルの性質がチャネルに適合したものであり、位相ロックループの適切な操作を可能にする遷移が起こり得なければならない）。例えばある方法は、この領域で、8/10変動コード或いはこのコードの一連の特殊なワードに従って符号化した擬似ランダム信号を、コードを改変して使用する。このシステムでは、プリアンブル領域だけがこのコーディングに影響される。8/10コードがデータ域に使用される場合、データ域にこのコードを保持するという別の方法がある。
【００５１】
ゼロである連続構成要素を持つ8/10コードは、非ゼロ連続構成要素を持つ幾つかのコードワードを有している(DC = ±2)。正の連続構成要素を持つワードの次には負の連続構成要素を持つワードを配置するのがこのコードの通常の使い方である。この規則が体系的或いは定期的に妨害されると、対応するトラック上に非ゼロ連続構成要素が発生する。この連続構成要素の積分は、一般的にDSVと呼ばれる（Digital Sum Value）。すべてのトラックに規定されたパターンに従って各トラックのDSVを適度に増加或いは減少させ、絶対トラック基準を作り出すという考え方である。読取り終了の際には、DSV増加トラックは減少トラックから区別される。書込み終了の際には、トラックのDSVは、交互に、ｎ個のトラックで増加し、ｎ個のトラックで減少する。
【００５２】
これにより、当初のコーディングのアルゴリズムに対して「改変」と称される修正が施される。増加及び減少の種類を限定するため、「DSVの変調」についても言及する。
【００５３】
DSVを増加させるためには、DC = +2でコード化した語をDC = -2でコード化した語で補償しない。つまり、連続したDC = +2でコード化した語を認可することによりDSVを変更する。対照的に、DSVを減少させるには、DC = +2でコード化した語をDC = -2でコード化した語で2度補償すればよい。つまり、連続したDC = -2でコード化した語を認めることになる。連続構成要素が再構成されることがなければ、解読の負荷は増大するが、コード化の規則を体系的に妨害し、より強力な連続構成要素を作成することも可能である。
【００５４】
トラック上の連続構成要素を評価するために、トラック上の一連の解読されたビットを一定の時間にわたって積分し、結果が正か負かを試験する。
【００５５】
解読したビットをトラックごとに評価する代わりに、試験結果と予想された結果を関係づけることも可能である。
【００５６】
例えば、8トラックの周期DSV（つまり4つの連続した正のDSVトラックと４つの連続した負のDSVトラックを持つDSV）の変更には、次のアルゴリズムを使用する。
S1 = sum [(b0 + b1 + b2 + b3) - (b4 + b5 + b6 + b7)]
S2 = sum [(b2 + b3 + b4 + b5) - (b6 + b7 + b0 + b1)]
biはトラックiモジューロ8の信号サンプルを表すものとする。
【００５７】
トラックの位置に従ってS1及びS2が取る値を図7に示す。
【００５８】
対応表を利用し、S1及びS2の値からトラックの実際の位置と理論上の位置の差異を計算することが可能である。このような表は下記のようなものである。
【表２】
0004129856.tif 000013
【００５９】
逆に言うと、S1とS2の値を計算することにより、トラックの変移が計算可能である。
【００６０】
エラーの可能性を提言するため、|S1| + |S2| =  定数であることに着目してS1及びS2から得た値を正規化することが可能である。
【００６１】
従って、8トラック周期DSVを変調することにより、モジューロ8トラックの位置に関するデータを取得することが可能である。さらに大きな範囲が確実に必要とされる場合は、この周期を大きくすることが可能である。
【００６２】
任意のコードワードの使用
以下では、コードワードはランダムに選択されることになるが、トラックによってコード化のルールを体系的に妨害するものと仮定する。
【００６３】
コードは256語から構成され、うち103は非ゼロDSV (DS = +2 或いは -2)を持つ。従って、同等の蓋然性を持つメッセージについては、非ゼロDSV語が起こる確立は103/256である。平均すると、このシーケンスのDSVは、
+2*103/265  = 0.805
となり、対応するチャネル記号の数は10である。
【００６４】
コード化妨害により生じる連続構成要素は従って0.08となる。この連続構成要素は、システムの稼動、特に解読の際に殆ど影響を与えない（0.72 dB）。エラー信号のノイズは以下のようにして評価される
【００６５】
計測周波数を B = 100 Hzとするには、積分期間1/Bごとに処理される記号の数は、
n = D/B
となる。Dは生のビット速度を表す。
【００６６】
集積器の内容の揺らぎをVnとする。
【００６７】
通常、64トラックのアプリケーションでは、D = 10 Mb/秒 及び Vn = 316 である。
【００６８】
従って、トラック間に差異がある場合、エラー信号は、同じ期間で：
0.08 * D/B = 8 000
である。
つまり、S/Nは29 dBである。
【００６９】
アキュムレータの最適な深度がまだ評価されていない。これは設定する検出時間に従って行われる。
【００７０】
特別なコードワードの使用
プリアンブル領域に、特別なコードワードを設けることが可能である。特に、非DSV語だけを使用することが可能で、これによりファクタ256/103 = 2.5を得ることができる。これはS/N上の 8 dBの向上と言うことができ、解読の際に掛かる負荷はやや増大するが（2 dB）、プリアンブル領域には問題を起こさない。
【００７１】
コード表に載っていないワードの使用
8/10コードに属さないワードを選択し、それらをトラック内及びトラック間で組み合わせることが可能である。これにより、システムの全体的運用が最適化される。
【００７２】
トラック位置を検出するその他の方式
トラックを認識するために、例えば、１つ以上のトラックにおける特定の信号（純粋な周波数或いは単一のシーケンス）など、他の方法を使うことも可能である。解決方法を選択する基準は、強度（通常、複数のトラック上で行う場合により高い強度が必要）と施行の簡素さである。
【００７３】
絶対位置信号の使用
検出システムは、例えば例えばゼロトラックである少なくとも１つのトラックの位置信号（フラグ）を、同一トラック上の解読されたビットと同時に作成する（図２）。システムはこのデータ使用してデータの再配列（エレクトロニクスの変形）を行い、実際に書込みされたトラックに対応するデータのみの保持を可能にする（例えば80/96）。
【図面の簡単な説明】
【図１】  従来の磁気テープ読取りシステム
【図２】  本発明によるシステムの全体構成の例
【図３】  例）磁気テープのトラックに対して配置された検出器
【図４】  検出装置に対する記録媒体のトラックの相対的配置点を検出する回路の、全体構成例
【図５】  図4回路の全体構成の詳細
【図６】  多トラック記録媒体に接続した検出装置
【図７】  本発明に基づく、絶対トラック追跡システムの組織の例
【図８】  本発明に基づく、絶対トラック追跡制御回路の実施を可能にする回路の例
【図１】
0004129856.tif 000014
【図２】
0004129856.tif 000015
【図３】
0004129856.tif 000016
【図４】
0004129856.tif 000017
【図５】
0004129856.tif 000018
【図６】
0004129856.tif 000019
【図７】
0004129856.tif 000020
【図８】
0004129856.tif 000021